(57)【要約】【課題】支持用鋼管上に載置された足場板を当該支持用鋼管に簡単な操作で固定することが出来る足場板固定装置の使用状態での安全性を高める。【解決手段】支持用鋼管Ｐに係合させる第一フック２と第二フック３、ベルト締結ユニット４、第一フック２とベルト締結ユニット４を連結する第一ベルト５、及び第二フック３に一端が連結され且つ遊端側がベルト締結ユニット４に締結される第二ベルト６から構成され、第一フック２に一端が連結されると共に他端にベルト締結ユニット４が連結された第一ベルト５の長さが、二枚重ねの足場板３０を支持する支持用鋼管Ｐに第一フック２を係合させて第一ベルト５を足場板側面から上側足場板上面に沿うように引っ張ったとき、上側足場板上面に載置されたベルト締結ユニット４が上側足場板上面の第一ベルト５が引き上げられる側の端に位置するように設定する。【選択図】図１
2015086593.tif 000002
【特許請求の範囲】
【請求項１】
支持用鋼管に係合させるための第一フックと第二フック、第一フックに一端が連結されると共に他端にベルト締結ユニットが連結された第一ベルト、及び第二フックに一端が連結された第二ベルトから構成され、前記ベルト締結ユニットは、第一ベルトが長さ方向の一端に連結された本体、この本体の前記一端寄りの位置に支軸により起伏自在に軸支された操作片と、この操作片を前記一端から遠ざかる方向に倒伏させて本体上に重ねた状態で当該操作片を前記本体に係脱自在に係止する係止手段を備え、前記操作片には、前記支軸から離れた位置に設けられた第二ベルト折返しガイド部が設けられたもので、第二ベルトの遊端側をベルト締結ユニットの第二ベルト折返しガイド部の周囲で下側から上側へ折り返した結果の第二ベルトの二枚重なり部を、前記支軸の下側を経由させて第二フック側へ延出させた状態で、この第二ベルトの二枚重なり部の上に前記操作片を倒伏させて前記係止手段により係止出来るように構成され、前記第一ベルトの長さが、二枚重ねの足場板を支持する支持用鋼管に第一フックを係合させて第一ベルトを足場板側面から上側足場板上面に沿うように引っ張ったとき、上側足場板上面に載置されたベルト締結ユニットが足場板上面の第一ベルトが引き上げられる側の端に位置するように設定されている、足場板固定装置。
【請求項２】
前記第一フックと第二フックとは、支持用鋼管に対して互いに逆向きに係合するように、支持用鋼管嵌合凹部が互いに逆向きとなっている、請求項１に記載の足場板固定装置。
【請求項３】
前記ベルト締結ユニットの本体は、前記支軸の真下位置に設けられた第一の開口部と、この第一の開口部に対し第一ベルトの連結端のある側とは反対側に離れた位置に設けられた第二の開口部とを備え、第二ベルトは、本体の上側から前記第二の開口部、本体の下側、及び前記第一の開口部を経由して前記支軸の外側に至るように張設されている、請求項１または２に記載の足場板固定装置。
【請求項４】
前記第一フックと第二フックの内、少なくとも一方のフックには、その支持用鋼管嵌合凹部の開口部上辺側に外れ防止用弾性片が設けられ、この外れ防止用弾性片は、支持用鋼管に対するフックの係合離脱両動作を弾性変形により許容する形態となっている、請求項１〜３の何れか１項に記載の足場板固定装置。
【発明の詳細な説明】
【技術分野】
【０００１】
本発明は、例えば橋梁下に仮設作業足場を組み立てる場合に利用出来る足場板固定装置に関するものである。
【背景技術】
【０００２】
橋梁下に仮設作業足場を組み立てる場合、橋梁下のほぼ一定高さに水平に吊り下げられて適当間隔おきに並列する支持用鋼管上に、一定巾の足場板を載置し、この足場板を前記支持用鋼管に固定することによって仮設作業足場が組み立てられる。このような仮設作業足場を組み立てる場合に利用出来る足場板固定装置としては、特許文献１に記載されるように、足場板の両側で支持用鋼管に引っ掛けることが出来る一対のフックを、足場板の上側でベルトにより連結するものが知られているに過ぎない。
【先行技術文献】
【特許文献】
【０００３】
【特許文献１】特開平７−１０９８３３号公報
【発明の概要】
【発明が解決しようとする課題】
【０００４】
上記のような特許文献１に記載される足場板固定装置では、一対のフックを連結するベルトが弛み易く、安全性に問題があった。
【課題を解決するための手段】
【０００５】
本発明は、上記のような従来の問題点を解消することのできる足場板固定装置を提案するものであって、本発明に係る足場板固定装置は、後述する実施例との関係を理解し易くするために、当該実施例の説明において使用した参照符号を括弧付きで付して示すと、支持用鋼管(P)に係合させるための第一フック(2)と第二フック(3)、第一フック(2)に一端が連結されると共に他端にベルト締結ユニット(4)が連結された第一ベルト(5)、及び第二フック(3)に一端が連結された第二ベルト(6)から構成され、前記ベルト締結ユニット(4)は、第一ベルト(5)が長さ方向の一端に連結された本体(14)、この本体(14)の前記一端寄りの位置に支軸(20)により起伏自在に軸支された操作片(15)と、この操作片(15)を前記一端から遠ざかる方向に倒伏させて本体(14)上に重ねた状態で当該操作片(15)を前記本体(14)に係脱自在に係止する係止手段(16)を備え、前記操作片(15)には、前記支軸(20)から離れた位置に設けられた第二ベルト折返しガイド部(21)が設けられたもので、第二ベルト(6)の遊端側をベルト締結ユニット(4)の第二ベルト折返しガイド部(21)の周囲で下側から上側へ折り返した結果の第二ベルト(6)の二枚重なり部(6b)を、前記支軸(20)の下側を経由させて第二フック(3)側へ延出させた状態で、この第二ベルト(6)の二枚重なり部(6b)の上に前記操作片(15)を倒伏させて前記係止手段(16)により係止出来るように構成され、前記第一ベルト(5)の長さが、二枚重ねの足場板(30)を支持する支持用鋼管(P)に第一フック(2)を係合させて第一ベルト(5)を足場板側面から上側足場板上面に沿うように引っ張ったとき、上側足場板上面に載置されたベルト締結ユニット(4)が上側足場板上面の第一ベルト(5)が引き上げられる側の端に位置するように設定された構成になっている。
【発明の効果】
【０００６】
上記本発明の足場板固定装置は、使用前に、第二ベルトの遊端側をベルト締結ユニットの第二ベルト折返しガイド部の周囲で下側から上側へ折り返した結果の第二ベルトの二枚重なり部を、前記支軸の下側を経由させて第二フック側へ延出させて、第二ベルトもベルト締結ユニットにつながった状態にしておく。この状態において、支持用鋼管の上に載置された足場板の両側で第一フックと第二フックとを支持用鋼管に係合させたならば、ベルト締結ユニットの操作片が第二ベルトのある側とは反対側へ倒した開放姿勢にある状態で、第二ベルトの遊端部を第二フックのある側へ引っ張り、第二ベルトをベルト締結ユニットの第二ベルト折返しガイド部の周囲で折り返し移動させながら、ベルト締結ユニットと第二フックとの間の第二ベルトの有効長さを縮小させ且つ第一ベルトは第一フックとベルト締結ユニットとの間で緊張させる。
【０００７】
上記操作により、ベルト締結ユニットの両側の第一ベルトと第二ベルトがそれぞれ緊張して、これら第一ベルトと第二ベルトが足場板を支持用鋼管上に固定する状態になれば、第二ベルトの遊端側を引っ張った状態で、ベルト締結ユニットの操作片を支軸の周りで第二ベルトのある側へ回動倒伏させ、当該操作片を第二ベルトの二枚重なり部の上に重なった倒伏姿勢で係止手段により本体に係止させる。操作片が倒伏姿勢にあるときは、第二ベルトは支軸の周囲と第二ベルト折返しガイド部の周囲の２か所において互いに逆向きで１８０度にわたって極小さな曲率で折り返された状態になるので、ベルト締結ユニットから第二ベルトを引き抜くような外力が第二ベルトに作用しても、第二ベルトがベルト締結ユニットから引き抜かれるようなことはなく、それぞれ緊張した第一ベルトと第二ベルトが足場板を支持用鋼管上に固定することが出来る。足場板を取り外すときは、ベルト締結ユニットの係止手段を係止解除状態に切り換えて操作片を倒伏姿勢から反対向きに開動させて開放姿勢に戻すことにより、第二ベルトに作用する滑り抵抗が小さくなるので、係る状態でベルト締結ユニットから第二ベルトを引き抜くように引っ張って弛緩させ、第一フック及び第二フックを支持用鋼管から外すことにより足場板に対する拘束を解けば良い。
【０００８】
本発明の足場板固定装置は以上のように使用出来るものであるが、最大の特徴は、足場板の上面に載置されるベルト締結ユニットが、この足場板固定装置の使用時に作業者が何も考慮せずとも、足場板の側辺に隣接するか又は、足場板の厚さ分程度だけ足場板の側辺から離れて位置することになる点にある。即ち、足場板は、厚さほぼ35ｍｍの杉足場板と厚さほぼ40ｍｍの鋼製足場板とがあり、通常は一枚の足場板が支持用鋼管の上に載置されるが、足場板の長さ方向の接続箇所では、必要に応じて前後二枚の足場板が端部どうし互いに重なる二枚重ねの状態で支持用鋼管の上に載置されるのであるから、厚さが厚い方の鋼製足場板が二枚重ねに載置される個所を支持用鋼管に固定する場合を前提にして、前記のように前記第一ベルトの長さが、二枚重ねの足場板を支持する支持用鋼管に第一フックを係合させて第一ベルトを足場板側面から上側足場板上面に沿うように引っ張ったとき、上側足場板上面に載置されたベルト締結ユニットが上側足場板上面の第一ベルトが引き上げられる側の端に位置するように設定されていることにより、厚さの薄い杉足場板の一枚を支持用鋼管に固定するときに、足場板側辺から、
鋼製足場の厚さ＋（鋼製足場の厚さ−杉足場板の厚さ）
程度（大体45ｍｍ）だけベルト締結ユニットが離れることになるだけであって、厚さの厚い鋼製足場が二枚重ねになる個所を支持用鋼管に固定するときには、ベルト締結ユニットが足場板側辺に隣接する状態になる。
【０００９】
即ち、本発明の構成によれば、この足場板固定装置の使用時に作業者が何も考慮せずとも、足場板の側辺からベルト締結ユニットが大きく離れて、足場板の巾の中央付近に位置するようなことがなくなり、この足場板の中央付近を歩行することになる作業者がベルト締結ユニットに蹴つまずく恐れが解消し、安全性の高い仮設足場を容易に組み立てることが出来る。
【００１０】
上記本発明を実施する場合、前記第一フック(2)と第二フック(3)とは、支持用鋼管(P)に対して互いに逆向きに係合するように、支持用鋼管嵌合凹部が互いに逆向きとなるように構成することが出来る。この構成によれば、第一フックと第二フックに互いに逆向きの外し方向の外力が作用しない限り、これらフックが支持用鋼管から外れる恐れが無いので、安全性を一層高めることが出来る。
【００１１】
又、前記ベルト締結ユニット(4)の本体(14)には、前記支軸(20)の真下位置に第一の開口部(12a)を設けると共に、この第一の開口部(12a)に対し第一ベルト(5)の連結端のある側とは反対側に離れた位置に第二の開口部(12b)を設け、第二ベルト(6)は、本体(14)の上側から前記第二の開口部(12b)、本体(14)の下側、及び前記第一の開口部(12a)を経由して前記支軸(20)の外側に至るように張設することが出来る。この構成によれば、本体の下側に露出することになる第二ベルト部分が、使用状態において本体と足場板上面との間に挟まれて、ベルト締結ユニットに対する第二ベルトの滑り抵抗が増すことになり、足場板固定状態での第二ベルトの不測の弛みが抑えられ、安全性が高められる。又、ベルト締結ユニットの本体に対して第二ベルトが仮止めされる効果も得られ、使用時の操作が容易になる。
【００１２】
更に、前記第一フック(2)と第二フック(3)の内、少なくとも一方のフックには、その支持用鋼管嵌合凹部(7)の開口部上辺側に外れ防止用弾性片(10)を設けることが出来る。この場合、外れ防止用弾性片(10)が、支持用鋼管(P)に対するフックの係合離脱両動作を弾性変形により許容するものであるときは、支持用鋼管に対してフックを係合させるときと支持用鋼管からフックを外すときの何れも、この外れ防止用弾性片に対する人為的操作が不要であり、単に外れ防止用弾性片を弾性変形させることが出来る程度の力でフックの係脱操作を行うだけで良いので、使用時の操作性を低下させることなく安全性を高めることが出来る。
【図面の簡単な説明】
【００１３】
【図１】図１Ａは、横に並列する二枚の鋼製足場板を支持用鋼管に固定する状態を示す縦断側面図、図１Ｂは、横に並列するそれぞれ二枚重ねの鋼製足場板を支持用鋼管に固定する状態を示す縦断側面図である。
【図２】図２は、図１Ａの平面図である。
【図３】図３Ａは、図１Ａを右側から見た背面図、図３Ｂは、図１Ａを左側から見た正面図である。
【図４】図４Ａは、使用前の足場板固定装置の平面図、図４Ｂは、同足場板固定装置の一部縦断側面図である。
【図５】図５Ａは、ベルト締結ユニットの操作片の縦断側面図、図５Ｂは、ベルト締結ユニットの本体の縦断側面図、図５Ｃは、ベルト締結ユニットの本体の平面図、図５Ｄは、ベルト締結ユニットの操作片の一部切欠き平面図である。
【図６】図６Ａは、ベルト締結ユニットの操作片が操作前の状態にあるときの縦断側面図、図６Ｂは、ベルト締結ユニットの操作片が操作完了状態にあるときの縦断側面図である。
【図７】図７Ａは、ベルト締結ユニットの操作片が操作完了状態にあるときの側面図、図７Ｂは、その平面図である。
【発明を実施するための形態】
【００１４】
図１〜図４において、１は本発明に係る足場板固定装置であって、第一フック２、第二フック３、ベルト締結ユニット４、第一フック２とベルト締結ユニット４とを連結する第一ベルト５、及び第二フック３に一端が連結された第二ベルト６から構成されている。
【００１５】
第一フック２と第二フック３は、同一構造のものであって、金属板をほぼＣ字形に裁断して、横向きの開口した支持用鋼管嵌合凹部７と、水平向きのベルト連結孔８を備えた上端吊下げ部９と、この上端吊下げ部９の先端に取り付けられて支持用鋼管嵌合凹部７内へ斜め内向きに突出する外れ防止用弾性片１０を備えている。上端吊下げ部９から連設されて支持用鋼管嵌合凹部７を形成する湾曲板部には、補強用リブ１１が形成されている。
【００１６】
外れ防止用弾性片１０は、１本のバネ鋼線をＶ字形に曲げると共に両端を互いに相手側へ直角に折曲したものであって、上端吊下げ部９の先端部に設けられた上下２つの取付け孔１０ａ，１０ｂに外れ防止用弾性片１０の両端を互いに反対側から挿入したものであり、規定サイズの支持用鋼管Ｐが支持用鋼管嵌合凹部７の円弧形底面７ａに当接しているとき、前記外れ防止用弾性片１０のＶ字形の先端が支持用鋼管Ｐの頂面より外側の少し低くなった周面部に圧接するように構成されている。
【００１７】
従って、支持用鋼管Ｐに対してフック２，３が斜め上向きに嵌合されるときと、支持用鋼管Ｐからフック２，３が斜め下向きに外されるときの何れでも、外れ防止用弾性片１０のＶ字形の先端が上端吊下げ部９に近づく方向に弾性変形して支持用鋼管Ｐの頂面を乗り越えることになる。換言すれば、支持用鋼管Ｐに支持用鋼管嵌合凹部７を嵌合させて円弧形底面７ａに当該支持用鋼管Ｐを当接させた状態のフック２，３は、この支持用鋼管Ｐの頂面より外側の少し低くなった周面部に圧接する外れ防止用弾性片１０の弾性力によって、支持用鋼管Ｐに保持されることになる。
【００１８】
ベルト締結ユニット４は、図５〜図７に示すように、長方形の底板部１２の長さ方向と平行な左右両側辺から直角上向きに折曲連設された左右両側板部１３ａ，１３ｂとからなる本体１４と、操作片１５、及び係止手段１６から構成されている。操作片１５は、左右両側板部１７ａ，１７ｂと、この左右両側板部１７ａ，１７ｂの上側辺どうしを長さ方向の中間位置で互いに連結する巾の狭い中間橋板部１８と、左右両側板部１７ａ，１７ｂの上側辺どうしを長さ方向の前端部で互いに連結する巾の広い前端側橋板部１９から成り、左右両側板部１７ａ，１７ｂの後端部が、本体１４の両側板部１３ａ，１３ｂ間で後端近くの位置に支軸２０により起伏自在に軸支され、巾の狭い橋板部１７の前側辺部を内側に折り返して、第二ベルト折返しガイド部２１が形成されている。本体１４の底板部１２には、前記支軸２０の真下位置を含む領域の後端側矩形開口部１２ａと、この後端側矩形開口部１２ａより前端側に位置する前端側矩形開口部１２ｂが設けられている。
【００１９】
係止手段１６は、操作片１５の前端部に内奏された可動被係止板２２と、この可動被係止板２２を前方に付勢するバネ２３と、本体１４の左右両側板部１３ａ，１３ｂの前端近傍上側辺に形成した左右一対の係止爪部２４ａ，２４ｂから構成されている。可動被係止板２２は、その前側辺から上側へ折り返して形成されたバネ受け部２５と、操作片１５の左右両側板部１７ａ，１７ｂの前端近傍位置に形成された案内用スリット２６ａ，２６ｂに、操作片１５の長さ方向にスライド自在に嵌合すると共に外側に突出する左右一対の被係止爪部２７ａ，２７ｂを備えている。バネ２３は、バネ鋼線をＳ字形に曲げたもので、前端側橋板部１９の後側辺を内側に折り返して形成されたバネ受け部２８と、前記可動被係止板２２のバネ受け部２５との間に介装されている。このバネ２３の付勢力で可動被係止板２２は、その被係止爪部２７ａ，２７ｂが案内用スリット２６ａ，２６ｂの前端に位置するホームポジションにあり、この状態で操作片１５が支軸２０の周りに本体１４の底板部１２に重なる倒伏姿勢まで回動したとき、左右一対の被係止爪部２７ａ，２７ｂが、本体１４側の左右一対の係止爪部２４ａ，２４ｂによりバネ２３の付勢力に抗して一旦後退移動した後、当該係止爪部２４ａ，２４ｂの下側にバネ２３の付勢力で入り込んで、操作片１５が上動不能に係止される。この係止状態において、可動被係止板２２の前側辺のバネ受け部２５が、操作片１５の前端側橋板部１９の前側辺に形成された円弧形凹入部１９ａの下側に位置している。
【００２０】
係止手段１６の係止解除操作は、係止手段１６の可動被係止板２２の前側辺のバネ受け部２５を、操作片１５の前端側橋板部１９の円弧形凹入部１９ａから差し入れた指先で手前後方に引いて、バネ２３の付勢力に抗して可動被係止板２２を操作片１５に対し後退移動させ、左右一対の被係止爪部２７ａ，２７ｂを本体１４側の左右一対の係止爪部２４ａ，２４ｂから後方に離脱させた状態で、可動被係止板２２を操作した指先で操作片１５を上方に引き上げれば良い。
【００２１】
第一ベルト５の一端は、第一フック２のベルト連結孔８に通された後に縫製された折り返しループ部５ａにより当該第一フック２に連結され、第一ベルト５の他端は、ベルト締結ユニット４の本体１４の後端側矩形開口部１２ａに通された後に縫製された折り返しループ部５ｂにより当該ベルト締結ユニット４に連結されている。又、第二ベルト６の一端は、第二フック３のベルト連結孔８に通された後に縫製された折り返しループ部６ａにより当該第二フック３に連結されている。この第二ベルト６の他端部は、図４Ａに示すように、第二フック３の向きが第一フック２に対して反対向きとなる状態で、ベルト締結ユニット４にセットされている。即ち、第二ベルト６の他端部は、ベルト締結ユニット４の底板部１２の前端側矩形開口部１２ｂから底板部１２の下側に通され、次に底板部１２の後端側矩形開口部１２ａから上方に引き出された第二ベルト６が、操作片１５の第二ベルト折返しガイド部２１を包み込むように、操作片１５の外側から内側へ折り返され、この後、支軸２０の外側を経由してベルト締結ユニット４から前方（第二フック３のある側）へ引き出されている。従って、支軸２０の外側には、折返しガイド部２１に向かう外側第二ベルト部分と、折返しガイド部２１から離れる内側の第二ベルト部分とが重なった、第二ベルト６の二枚重なり部６ｂが形成されている。
【００２２】
図４Ａに示すように、第一ベルト５の有効長さは、第一フック２、第一ベルト５、及びベルト締結ユニット４を水平面上に載置したときの第一フック２の支持用鋼管嵌合凹部７における円弧形底面７ａから、第一ベルト５を緊張させた状態でのベルト締結ユニット４の本体１４における第一ベルト５側の端辺までの距離Ｄ１が、図１Ｂに示すように、仮設足場に使用される足場板で最も厚さが厚い、厚さ40ｍｍ程度の鋼製足場板３０を二枚重ねで、水平に架設された支持用鋼管Ｐ上に載置したときの、前記支持用鋼管Ｐの最下側面から上側鋼製足場板３０の上端までの垂直距離Ｄ２とほぼ等しいか少し（5〜10ｍｍ程度）長くなるように設定している。
【００２３】
以上のように構成された足場板固定装置１の使用方法について説明すると、橋梁の保守作業などのために橋梁の下側一定高さに水平に足場板を敷設する場合、従来周知のように、足場板支持高さに支持用鋼管Ｐが、足場板長さ方向に対して直角水平向きで且つ足場板の全長より短い間隔おきに吊り下げられる。この支持用鋼管Ｐの上に足場板を並列載置するのであるが、図１では、並列する二枚の鋼製足場板３０を１つの足場板固定装置１で固定した状態を示している。勿論、第二ベルト６の全長を長くすれば、三枚又はそれ以上の枚数の並列する鋼製足場板３０を１つの足場板固定装置１で固定することが出来る。又、鋼製足場板３０の長さ方向の中間部では、図１Ａに示すように、支持用鋼管Ｐの上に一枚の鋼製足場板３０が並列することになるが、鋼製足場板３０の長さ方向に隣接する前後二枚の鋼製足場板３０は互いに一定長さだけ重ねられ、この重なり箇所を支持用鋼管Ｐが支持することになる。
【００２４】
図１Ａ及び図１Ｂの何れの場合でも、第二ベルト６をベルト締結ユニット４から引き出した状態で、固定対象の一枚又は並列する複数枚の鋼製足場板３０の左右両側から突出している支持用鋼管Ｐに第一フック２と第二フック３を係合させる。このとき、両フック２，３は向きが互いに逆向きであるから、支持用鋼管Ｐに対して両フック２，３を互いに逆方向に係合させることになる。各フック２，３を支持用鋼管Ｐに係合させるときは、外れ防止用弾性片１０の弾性に抗して係合させることになり、係合完了時には、外れ防止用弾性片１０が弾性復帰して、各フック２，３から手を放しても支持用鋼管Ｐからフック２，３が脱落する恐れはない。
【００２５】
上記のように両フック２，３を支持用鋼管Ｐに係合させた状態で第一ベルト５を引き上げてベルト締結ユニット４を鋼製足場板３０の上に載置したとき、第一ベルト５の長さを先に説明したように設定しているので、図１Ｂに示すように、鋼製足場板３０が二枚重ねになっている個所では、ベルト締結ユニット４の本体１４における第一ベルト５側の端辺が鋼製足場板３０の側辺に近接し、当該ベルト締結ユニット４が鋼製足場板３０の側辺に最も接近した状態になるが、図１Ａに示すように、鋼製足場板３０が二枚重ねになっていない個所では、ベルト締結ユニット４の本体１４における第一ベルト５側の端辺が鋼製足場板３０の側辺に対しほぼ鋼製足場板３０の厚さ分だけ離れて位置することになる。若し、鋼製足場板３０ではなく、厚さが少し薄い杉足場板を使用しているときは、鋼製足場板３０と杉足場板の厚さの差分だけ（二枚重ねの時は厚さの差分の二倍だけ）、足場板の側辺に対してベルト締結ユニット４が離れる距離が少し大きくなる。
【００２６】
次に、図６Ａに示すように、ベルト締結ユニット４の操作片１５を支軸２０の周りに第一ベルト５のある側へ倒した状態で、第二ベルト６の折り返し遊端部を引っ張って、このベルト締結ユニット４と第二フック３との間の第二ベルト６を緊張させる。このように操作して、第一ベルト５と第二ベルト６とを十分に緊張させたならば、第二ベルト６の折り返し遊端部を引っ張った状態のまま、ベルト締結ユニット４の操作片１５を支軸２０の周りに第一ベルト５から遠ざかる方向に回倒させて倒伏姿勢に切換え、本体１４の底板部１２と操作片１５との間で第二ベルト６の二枚重なり部６ｂを挟ませる。倒伏姿勢になった操作片１５は、先に説明したように係止手段１６によって自動係止され、当該倒伏姿勢に保持される。この結果第二ベルト６は、第二ベルト折返しガイド部２１の周りでの折り返しと、第二ベルト６の二枚重なり部６ｂが支軸２０の周りで折り返しされることによって、このベルト締結ユニット４に対する長さ方向の滑り抵抗が最大になって、第二ベルト６の折り返し遊端部を開放しても、当該第二ベルト６が張力でベルト締結ユニット４から引き出されて弛緩するようなことがなく、この第一ベルト５と第二ベルト６とで包み込まれた鋼製足場板３０が支持用鋼管Ｐに対して浮き上がるようなことはない。
【００２７】
尚、仮設足場の解体作業時などにおいて、上記のようにして支持用鋼管Ｐに固定された鋼製足場板３０を取り除くときは、ベルト締結ユニット４の係止手段１６を先に説明した要領で係止解除状態に切り換えた後、操作片１５を支軸２０の周りに第二ベルト５のある側へ開動させて、図６Ａに示す開放姿勢に切り換え、このベルト締結ユニット４と第二フック３との間の第二ベルト６を当該ベルト締結ユニット４から引き抜く方向に引っ張り、ベルト締結ユニット４と第二フック３との間の第二ベルト６の長さを長くした状態で、第一フック２及び第二フック３を支持用鋼管Ｐから離脱させれば良い。この支持用鋼管Ｐから両フック２，３を離脱させるとき、先に説明したように、単に各フック２，３を支持用鋼管Ｐから引き外すように力を作用させるだけ良い。
【００２８】
尚、第一フック２及び第二フック３の両方に外れ防止用弾性片１０を取り付けたが、片方のフックさえ支持用鋼管Ｐから外れなければ、足場板固定装置１の全体が支持用鋼管Ｐから外れ落ちることはないので、両フック２，３の内の何れか一方にのみ、外れ防止用弾性片１０を取り付けても良い。
【産業上の利用可能性】
【００２９】
本発明の足場板固定装置は、橋梁下に仮設足場を組み立てる際に、支持用鋼管上に載置された足場板を当該支持用鋼管に簡単な操作で且つ強固に固定することが出来る手段として活用出来る。
【符号の説明】
【００３０】
１    足場板固定装置
２    第一フック
３    第二フック
４    ベルト締結ユニット
５    第一ベルト
６    第二ベルト
６ｂ    二枚重なり部
７    支持用鋼管嵌合凹部
７ａ    円弧形底面
８    ベルト連結孔
９    上端吊下げ部
１０    外れ防止用弾性片
１２    底板部
１２ａ，１２ｂ    矩形開口部
１４    本体
１５    操作片
１６    係止手段
１８    中間橋板部
１９    前端側橋板部
２０    支軸
２１    第二ベルト折返しガイド部
２２    可動被係止板
２３    バネ
２４ａ，２４ｂ    係止爪部
２５，２８    バネ受け部
２６ａ，２６ｂ    案内用スリット
２７ａ，２７ｂ    被係止爪部
３０    鋼製足場板
Ｐ    支持用鋼管
【図１】
2015086593.tif 000003
【図２】
2015086593.tif 000004
【図３】
2015086593.tif 000005
【図４】
2015086593.tif 000006
【図５】
2015086593.tif 000007
【図６】
2015086593.tif 000008
【図７】
2015086593.tif 000009